(57)【要約】【課題】セキュリティ性を担保しつつユーザの利便性を向上させることが可能な電気錠制御装置等を提供する。【解決手段】電気錠制御装置は、暗証番号の照合結果に応じて電気錠に対して直接的または間接的に解錠制御を行うと共に、暗証番号を入力するためのテンキーに対する表示制御を行う制御部を備えている。テンキーは、マトリクス状に配列されると共に少なくとも複数の数字キーおよび余白キーを個別に表示するための複数の単位表示部を有している。制御部は、複数の単位表示部において、複数の数字キーが数字の大きさの範囲に応じて複数の数字キー配列ユニット内に振り分けて表示されると共に、各数字キー配列ユニット内では数字キーが数字順に固定配列して表示され、かつ、複数の単位表示部における複数の数字キー配列ユニットおよび余白キーの配置位置がそれぞれランダムに変化するランダム表示がなされるように、テンキーに対する表示制御を行う。【選択図】図５
2016188501.tif 000002
【特許請求の範囲】
【請求項１】
暗証番号の照合結果に応じて電気錠に対して直接的または間接的に解錠制御を行うと共に、前記暗証番号を入力するためのテンキーに対する表示制御を行う制御部を備え、
前記テンキーは、マトリクス状に配列されると共に少なくとも複数の数字キーおよび余白キーを個別に表示するための複数の単位表示部を有し、
前記制御部は、
前記複数の単位表示部において、前記複数の数字キーが、数字の大きさの範囲に応じて複数の数字キー配列ユニット内に振り分けて表示されると共に、
各数字キー配列ユニット内では、前記数字キーが数字順に固定配列して表示され、
かつ、前記複数の単位表示部における前記複数の数字キー配列ユニットおよび前記余白キーの配置位置がそれぞれランダムに変化するランダム表示がなされるように、
前記テンキーに対する表示制御を行う
電気錠制御装置。
【請求項２】
前記制御部は、前記ランダム表示の際に、
前記複数の数字キー配列ユニット同士の配置位置が互いに入れ替わることとなるように、前記テンキーに対する表示制御を行う
請求項１に記載の電気錠制御装置。
【請求項３】
前記複数の数字キー配列ユニットはそれぞれ、前記数字キーが数字順に一方向に固定配列されてなり、
前記制御部は、前記ランダム表示の際に、
前記複数の数字キー配列ユニット同士が、前記一方向に対する直交方向に沿って互いに入れ替わることとなるように、前記テンキーに対する表示制御を行う
請求項２に記載の電気錠制御装置。
【請求項４】
前記制御部は、前記ランダム表示の際に、
前記複数の数字キー配列ユニット同士の配置位置で互いに段差が生じることとなるように、前記テンキーに対する表示制御を行う
請求項１ないし請求項３のいずれか１項に記載の電気錠制御装置。
【請求項５】
前記複数の数字キー配列ユニットはそれぞれ、前記数字キーが数字順に一方向に固定配列されてなり、
前記制御部は、前記ランダム表示の際に、
前記複数の数字キー配列ユニットのうちの少なくとも一部が前記一方向に沿って変位することによって前記段差が生じることとなるように、前記テンキーに対する表示制御を行う
請求項４に記載の電気錠制御装置。
【請求項６】
前記制御部は、前記ランダム表示の際に、
クリアキーおよびエンターキーがそれぞれ、前記複数の単位表示部において固定配置によって更に表示されることとなるように、前記テンキーに対する表示制御を行う
請求項１ないし請求項５のいずれか１項に記載の電気錠制御装置。
【請求項７】
前記数字キー配列ユニットの個数と、前記余白キーの個数とが、互いに等しい
請求項１ないし請求項６のいずれか１項に記載の電気錠制御装置。
【請求項８】
前記複数の単位表示部が、Ｍ行（Ｍ：３以上の整数）×２列に配列されており、
２つの前記数字キー配列ユニットがそれぞれ、列方向に沿って配列され、
前記余白キーの個数が２つである
請求項１ないし請求項７のいずれか１項に記載の電気錠制御装置。
【請求項９】
電気錠と、
暗証番号を入力するためのテンキーと、
前記暗証番号の照合結果に応じて前記電気錠に対して解錠制御を行うと共に、前記テンキーに対する表示制御を行う制御部と
を備え、
前記テンキーは、マトリクス状に配列されると共に少なくとも複数の数字キーおよび余白キーを個別に表示するための複数の単位表示部を有し、
前記制御部は、
前記複数の単位表示部において、前記複数の数字キーが、数字の大きさの範囲に応じて複数の数字キー配列ユニット内に振り分けて表示されると共に、
各数字キー配列ユニット内では、前記数字キーが数字順に固定配列して表示され、
かつ、前記複数の単位表示部における前記複数の数字キー配列ユニットおよび前記余白キーの配置位置がそれぞれランダムに変化するランダム表示がなされるように、
前記テンキーに対する表示制御を行う
電気錠システム。
【請求項１０】
前記電気錠、前記テンキーおよび前記制御部が、一体化された単一の装置に内蔵されているか、あるいは、互いに別体の複数の装置に分かれて内蔵されている
請求項９に記載の電気錠システム。
【請求項１１】
暗証番号の照合処理を利用したユーザの認証システムであって、
携帯端末と、
電気錠を有すると共に、前記携帯端末との間で通信を行う電気錠システムと
を備え、
前記携帯端末は、
前記暗証番号を入力するためのテンキーと、
前記暗証番号の照合結果に応じて前記電気錠に対して間接的に解錠制御を行うと共に、前記テンキーに対する表示制御を行う制御部と
を有し、
前記テンキーは、マトリクス状に配列されると共に少なくとも複数の数字キーおよび余白キーを個別に表示するための複数の単位表示部を有し、
前記制御部は、
前記複数の単位表示部において、前記複数の数字キーが、数字の大きさの範囲に応じて複数の数字キー配列ユニット内に振り分けて表示されると共に、
各数字キー配列ユニット内では、前記数字キーが数字順に固定配列して表示され、
かつ、前記複数の単位表示部における前記複数の数字キー配列ユニットおよび前記余白キーの配置位置がそれぞれランダムに変化するランダム表示がなされるように、
前記テンキーに対する表示制御を行う
認証システム。
【請求項１２】
前記電気錠システムは、前記暗証番号を前記携帯端末と対応付けて記憶する第１の記憶部を更に有し、
前記制御部は、前記テンキーにおいて入力された暗証番号が、前記通信によって前記電気錠システム側へ送信されるように制御し、
前記電気錠システムは、前記携帯端末側から送信された暗証番号と、前記第１の記憶部に記憶されている暗証番号との照合結果に応じて、前記電気錠に対して前記解錠制御を行う
請求項１１に記載の認証システム。
【請求項１３】
前記携帯端末は、前記暗証番号を記憶する第２の記憶部を更に有し、
前記制御部は、
前記テンキーにおいて入力された暗証番号と、前記第２の記憶部に記憶されている暗証番号との照合処理を行うと共に、
前記照合処理において正常認証された場合には、前記電気錠に対して前記解錠制御を行うための指示信号が、前記通信によって前記電気錠システム側へ送信されるように制御し、
前記電気錠システムは、前記携帯端末側から送信された前記指示信号に基づいて、前記電気錠に対して前記解錠制御を行う
請求項１１に記載の認証システム。
【請求項１４】
前記電気錠システムは、前記暗証番号を前記携帯端末と対応付けて記憶する第３の記憶部を更に有すると共に、前記第３の記憶部に記憶されている暗証番号を、前記通信によって前記携帯端末側へ送信し、
前記制御部は、
前記テンキーにおいて入力された暗証番号と、前記電気錠システム側から送信された暗証番号との照合処理を行うと共に、
前記照合処理において正常認証された場合には、前記電気錠に対して前記解錠制御を行うための指示信号が、前記通信によって前記電気錠システム側へ送信されるように制御し、
前記電気錠システムは、前記携帯端末側から送信された前記指示信号に基づいて、前記電気錠に対して前記解錠制御を行う
請求項１１に記載の認証システム。
【請求項１５】
携帯端末と、電気錠を有すると共に前記携帯端末との間で通信を行う電気錠システムと、を備えたユーザの認証システムに適用される前記携帯端末であって、
暗証番号を入力するためのテンキーと、
前記暗証番号の照合結果に応じて前記電気錠に対して間接的に解錠制御を行うと共に、前記テンキーに対する表示制御を行う制御部と
を備え、
前記テンキーは、マトリクス状に配列されると共に少なくとも複数の数字キーおよび余白キーを個別に表示するための複数の単位表示部を有し、
前記制御部は、
前記複数の単位表示部において、前記複数の数字キーが、数字の大きさの範囲に応じて複数の数字キー配列ユニット内に振り分けて表示されると共に、
各数字キー配列ユニット内では、前記数字キーが数字順に固定配列して表示され、
かつ、前記複数の単位表示部における前記複数の数字キー配列ユニットおよび前記余白キーの配置位置がそれぞれランダムに変化するランダム表示がなされるように、
前記テンキーに対する表示制御を行う
携帯端末。
【発明の詳細な説明】
【技術分野】
【０００１】
本発明は、暗証番号の照合処理を利用してユーザの認証を行う認証システム、ならびに、そのような認証システムに適用される電気錠制御装置、電気錠システムおよび携帯端末に関する。
【背景技術】
【０００２】
従来、暗証番号の照合処理を利用して電気錠に対する解錠制御を行うようにした電気錠システムが提案されている。この電気錠システムでは、例えば、テンキーを用いて暗証番号の入力がなされるようになっている（例えば、特許文献１参照）。
【先行技術文献】
【特許文献】
【０００３】
【特許文献１】特許第２８９９４８０号公報
【発明の概要】
【発明が解決しようとする課題】
【０００４】
ところで、このような電気錠システムでは一般に、暗証番号を利用した照合処理（ユーザの認証）を行っていることから、セキュリティ性を担保することが求められている。また、上記したテンキーを用いて暗証番号を入力する際の、ユーザの利便性を向上させることも求められている。したがって、セキュリティ性を担保しつつユーザの利便性を向上させる手法の提案が望まれる。
【０００５】
本発明はかかる問題点に鑑みてなされたもので、その目的は、セキュリティ性を担保しつつユーザの利便性を向上させることが可能な電気錠制御装置、電気錠システム、認証システムおよび携帯端末を提供することにある。
【課題を解決するための手段】
【０００６】
本発明の電気錠制御装置は、暗証番号の照合結果に応じて電気錠に対して直接的または間接的に解錠制御を行うと共に、暗証番号を入力するためのテンキーに対する表示制御を行う制御部を備えたものである。上記テンキーは、マトリクス状に配列されると共に少なくとも複数の数字キーおよび余白キーを個別に表示するための複数の単位表示部を有している。上記制御部は、複数の単位表示部において、複数の数字キーが数字の大きさの範囲に応じて複数の数字キー配列ユニット内に振り分けて表示されると共に、各数字キー配列ユニット内では数字キーが数字順に固定配列して表示され、かつ、複数の単位表示部における複数の数字キー配列ユニットおよび余白キーの配置位置がそれぞれランダムに変化するランダム表示がなされるように、テンキーに対する表示制御を行う。
【０００７】
本発明の電気錠システムは、電気錠と、暗証番号を入力するためのテンキーと、暗証番号の照合結果に応じて電気錠に対して解錠制御を行うと共に、テンキーに対する表示制御を行う制御部とを備えたものである。上記テンキーは、マトリクス状に配列されると共に少なくとも複数の数字キーおよび余白キーを個別に表示するための複数の単位表示部を有している。上記制御部は、複数の単位表示部において、複数の数字キーが数字の大きさの範囲に応じて複数の数字キー配列ユニット内に振り分けて表示されると共に、各数字キー配列ユニット内では数字キーが数字順に固定配列して表示され、かつ、複数の単位表示部における複数の数字キー配列ユニットおよび余白キーの配置位置がそれぞれランダムに変化するランダム表示がなされるように、テンキーに対する表示制御を行う。
【０００８】
本発明の認証システムは、暗証番号の照合処理を利用したユーザの認証システムであって、携帯端末と、電気錠を有すると共に携帯端末との間で通信を行う電気錠システムとを備えたものである。上記携帯端末は、暗証番号を入力するためのテンキーと、暗証番号の照合結果に応じて電気錠に対して間接的に解錠制御を行うと共に、テンキーに対する表示制御を行う制御部とを有している。上記テンキーは、マトリクス状に配列されると共に少なくとも複数の数字キーおよび余白キーを個別に表示するための複数の単位表示部を有している。上記制御部は、複数の単位表示部において、複数の数字キーが数字の大きさの範囲に応じて複数の数字キー配列ユニット内に振り分けて表示されると共に、各数字キー配列ユニット内では数字キーが数字順に固定配列して表示され、かつ、複数の単位表示部における複数の数字キー配列ユニットおよび余白キーの配置位置がそれぞれランダムに変化するランダム表示がなされるように、テンキーに対する表示制御を行う。
【０００９】
本発明の携帯端末は、携帯端末と電気錠を有すると共に携帯端末との間で通信を行う電気錠システムとを備えたユーザの認証システムに適用されるものであって、暗証番号を入力するためのテンキーと、暗証番号の照合結果に応じて電気錠に対して間接的に解錠制御を行うと共に、テンキーに対する表示制御を行う制御部とを備えたものである。上記テンキーは、マトリクス状に配列されると共に少なくとも複数の数字キーおよび余白キーを個別に表示するための複数の単位表示部を有している。上記制御部は、複数の単位表示部において、複数の数字キーが数字の大きさの範囲に応じて複数の数字キー配列ユニット内に振り分けて表示されると共に、各数字キー配列ユニット内では数字キーが数字順に固定配列して表示され、かつ、複数の単位表示部における複数の数字キー配列ユニットおよび余白キーの配置位置がそれぞれランダムに変化するランダム表示がなされるように、テンキーに対する表示制御を行う。
【発明の効果】
【００１０】
本発明の電気錠制御装置、電気錠システム、認証システムおよび携帯端末によれば、セキュリティ性を担保しつつ、ユーザの利便性を向上させることが可能となる。
【図面の簡単な説明】
【００１１】
【図１】本発明の一実施の形態に係る電気錠システムの概要構成例を表す外観模式図である。
【図２】図１に示した電気錠システムの詳細構成例を表すブロック図である。
【図３】図２に示したテンキーの詳細構成例を表す模式図である。
【図４】図２に示した電気錠システムの動作例を表す流れ図である。
【図５】図３に示したテンキーにおけるランダム表示の一例を表す模式図である。
【図６】変形例１に係るランダム表示の一例を表す模式図である。
【図７】変形例２に係るランダム表示の一例を表す模式図である。
【図８】変形例３に係る認証システムの概要構成例を表す外観模式図である。
【図９】図８に示した認証システムの詳細構成例を表すブロック図である。
【図１０】図９に示した認証システムの動作例を表す流れ図である。
【図１１】変形例４に係る認証システムの構成例を表すブロック図である。
【図１２】変形例５に係る認証システムの構成例を表すブロック図である。
【図１３】図１２に示した認証システムの動作例を表す流れ図である。
【図１４】変形例６に係る電気錠システムの概要構成例を表す外観模式図である。
【図１５】変形例７に係る認証システムの概要構成例を表す外観模式図である。
【発明を実施するための形態】
【００１２】
以下、本発明の実施の形態について、図面を参照して詳細に説明する。なお、説明は以下の順序で行う。
１．実施の形態（電気錠システムの各ブロックを一体化された単一の装置に内蔵した例）
２．変形例
変形例１，２（テンキーでのランダム表示に用いられる他の配列パターン例）
変形例３〜５（テンキーを有する携帯端末を含んで構成された認証システムの例）
変形例６，７（電気錠システムの各ブロックを複数の装置に分けて内蔵した例）
３．その他の変形例
【００１３】
＜１．実施の形態＞
［構成］
図１は、本発明の一実施の形態に係る電気錠システム（電気錠システム２）の概要構成例を、この電気錠システム２のユーザ９（居住者，住人）とともに外観模式図で表したものである。この電気錠システム２は、図１に示したように、例えば、複数の部屋（住戸）を有するマンションなどの集合住宅における、各住戸の扉６に適用（設置）されるシステムである。なお、この例では、電気錠システム２は、この扉６のノブ（取っ手）２９の近傍に取り付けられている。
【００１４】
この電気錠システム２では、例えば図１に示したように、扉６に設けられた電気錠の施錠および解錠が、内蔵する制御機構（制御ユニット；後述する制御機構２４）によって制御されるようになっている。
【００１５】
図２は、このような電気錠システム２の詳細構成例をブロック図で表したものである。電気錠システム２は、図１および図２に示したように、テンキー（入力部）２０、制御機構２４および電気錠２５を有している。なお、本実施の形態では図１に示したように、この電気錠システム２を構成する各ブロック（テンキー２０、制御機構２４および電気錠２５）が、一体化された単一の装置に内蔵されている。換言すると、この例では電気錠システム２が、単一の装置により構成されている。
【００１６】
テンキー２０は、ユーザ９によって暗証番号（暗証番号ＰＷin）を入力するための部材であり、後述するように、「０」〜「９」の各数字および所定の英字のキー等をマトリクス状に配列表示するための表示部を有している。このような表示部は、例えば、液晶（ＬＣＤ：Liquid Crystal Display）パネルや有機ＥＬ（Electro Luminescence）パネル等の各種の表示パネルを用いて構成されている。このようなテンキー２０を用いてユーザ９から入力された操作信号（暗証番号ＰＷin等）は、制御機構２４内の後述する制御部２３へ出力されるようになっている。なお、このテンキー２０の詳細構成例については、後述する（図３）。
【００１７】
（制御機構２４）
制御機構２４は、電気錠２５に対して施錠制御または解錠制御を行うと共に、テンキー２０に対する表示制御を行うものである。この制御機構２４は、図２に示したように、記憶部２２および制御部２３を有している。なお、制御機構２４は本発明における「電気錠制御装置」の一具体例に対応し、制御部２３は本発明における「制御部」の一具体例に対応している。
【００１８】
記憶部２２は、図２に示したように、予め事前登録された暗証番号ＰＷｍを含め、各種のデータを記憶する部分である。このような記憶部２２は、例えば、磁気的記録媒体、光学的記憶媒体、または、ＲＯＭ（Read Only Memory），ＲＡＭ（Random Access Memory）等の半導体メモリなどの、各種の記録媒体により構成されている。
【００１９】
制御部２３は、各種データの入出力制御および処理制御や照合処理等、制御機構２４における各種の制御を行うと共に、電気錠２５に対する施錠制御および解除制御と、テンキー２０に対する表示制御とをそれぞれ行うものである。具体的には、制御部２３は、例えば、ユーザ９による操作によってテンキー２０に入力された暗証番号ＰＷinと、記憶部２２に記憶されている（事前登録されている）暗証番号ＰＷｍと、の照合処理を行う機能を有している。また、制御部２３は、このような照合処理の結果（照合結果）に応じて、電気錠２５に対して（直接的に）解除制御を行う機能を有している。更に、制御部２３は、テンキー２０において後述する所定のランダム表示がなされるように、このテンキー２０に対する表示制御（ランダム表示制御）を行う機能を有している。
【００２０】
このような制御部２３は、例えば、ＣＰＵ（Central Processing Unit）やＲＯＭ、ＲＡＭ等を用いたマイクロコンピューターなどにより構成されている。なお、この制御部２３における制御動作の詳細については、後述する（図４，図５）。
【００２１】
電気錠２５は、例えばモータやアクチュエータ等の駆動機構を含んで構成されており、例えば扉６に対して１または複数個設けられている。この電気錠２５は、上記したように、制御機構２４内の制御部２３によって、その施解錠（施錠および解錠）の制御がなされるようになっている。
【００２２】
（テンキー２０の詳細構成例）
ここで図３を参照して、前述したテンキー２０の詳細構成例について説明する。図３（図３（Ａ）および図３（Ｂ））は、このテンキー２０の詳細構成例を模式的に表したものである。なお、これらの図３（Ａ）および図３（Ｂ）に示した構成例は、後述するテンキー２０でのランダム表示（図５参照）の際に用いられる配列パターンの一例に相当している。
【００２３】
図３（Ａ）および図３（Ｂ）に示したように、テンキー２０における前述した表示部は、各種キーを個別に表示するための複数の単位表示部４０により構成されている。これら複数の単位表示部４０は、Ｍ行×Ｎ列（Ｍ，Ｎ：２以上の整数）の行列状（マトリクス状）に配列されている。この例では、複数の単位表示部４０は、Ｍ行（Ｍ：３以上の整数）×２列の行列状、具体的には、７行×２列の行列状という、スリムなデザインにて配列されている。
【００２４】
このテンキー２０に用いられる各種キーとしては、この例では、複数（１０個）の数字キー４０Ｎと、１個のクリアキー４０Ｃと、１個のエンターキー４０Ｅと、複数（２個）の余白キー４０Ｓと、の４種類が存在している。数字キー４０Ｎは、「０」〜「９」の各数字が表記されたキーであり、各数字とも１つずつ設けられている。クリアキー４０Ｃは、このテンキー２０において入力された内容を消去する際に用いられるキーであり、「Ｃ」（Clear）の英字が表記されたものとなっている。エンターキー４０Ｅは、このテンキー２０において入力された内容を確定する際に用いられるキーであり、「Ｅ」（Enter）の英字が表記されたものとなっている。余白キー４０Ｓは、このテンキー２０における余白領域を構成するキーであり、文字が表記されていないキーとなっている。
【００２５】
ここで、詳細は後述するが、このようなテンキー２０における複数の表示部４０では、図３（Ａ）および図３（Ｂ）に示したように、複数の数字キー４０Ｎが、それらの数字の大きさの範囲に応じて、複数（この例では２個）の数字キー配列ユニット４ａ，４ｂ内に振り分けて表示されるようになっている。具体的には、この例では、「０」〜「９」を示す１０個の数字キー４０Ｎのうち、「１」〜「５」を示す５個の数字キー４０Ｎは、数字キー配列ユニット４ａ内に振り分けて表示され、「６」〜「０」を示す５個の数字キー４０Ｎは、数字キー配列ユニット４ｂ内に振り分けて表示されるようになっている。また、各数字キー配列ユニット４ａ，４ｂは、この例では、一方向（列方向）に沿って配列されている。なお、これら数字キー配列ユニット４ａ，４ｂの個数（２個）は、この例では、上記した余白キー４０Ｓの個数（２個）と同じに（互いに等しく）なっている。
【００２６】
また、図３（Ａ）および図３（Ｂ）から分かるように、各数字キー配列ユニット４ａ，４ｂ内では、それら５個ずつの数字キー４０Ｎが、数字順に固定配列して表示されるようになっている。具体的には、この例では、数字キー配列ユニット４ａ内において、「１」，「２」，「３」，「４」，「５」を示す５個の数字キー４０Ｎが、この順序（昇順）にて列方向に固定配列されている。また、数字キー配列ユニット４ｂ内において、「６」，「７」，「８」，「９」，「０」を示す５個の数字キー４０Ｎが、この順序にて列方向に固定配列されている。
【００２７】
更に、図３（Ａ）に示した例では、これらの数字キー配列ユニット４ａ，４ｂの直下に、２つの余白キー４０Ｓがそれぞれ行方向に沿って並んで配置され、これら２つの余白キー４０Ｓの直下に、クリアキー４０Ｃおよびエンターキー４０Ｅが行方向に沿って並んで配置されている。一方、図３（Ｂ）に示した例では、数字キー配列ユニット４ａ，４ｂの直下に、クリアキー４０Ｃおよびエンターキー４０Ｅが行方向に沿って並んで配置され、数字キー配列ユニット４ａ，４ｂの直上に、２つの余白キー４０Ｓがそれぞれ行方向に沿って並んで配置されている。このように、詳細は後述するが、クリアキー４０Ｃおよびエンターキー４０Ｅはそれぞれ、複数の単位表示部４０において、固定配置（この例では最下部に位置する２つの単位表示部４０の位置）によって表示されるようになっている。
【００２８】
そして、詳細は後述するが、前述した制御部２３は、このような複数の単位表示部４０において、複数（２個）の数字キー配列ユニット４ａ，４ｂおよび（２個の）余白キー４０Ｓの配置位置がそれぞれ、ランダムに変化する（ランダム表示がなされる）ように、テンキー２０に対する表示制御を行うようになっている。このような制御部２３によるテンキー２０に対する表示制御（ランダム表示制御）の詳細については、後述する（図５）。
【００２９】
［動作］
（Ａ．基本動作）
この電気錠システム２では、例えば図１および図２に示したように、帰宅したユーザ９によって、テンキー２０を用いて暗証番号ＰＷinが入力されると、以下のようにして、ユーザの認証処理（暗証番号の照合処理、および、その照合結果に応じた電気錠２５に対する解除制御）が行われる。
【００３０】
すなわち、まず、テンキー２０においてユーザ９による操作によって入力された暗証番号ＰＷinが、制御機構２４内（制御部２３）へ供給される。次いで、この制御部２３において、供給された暗証番号ＰＷinと、電気錠システム２（記憶部２２）に事前に登録されている暗証番号ＰＷｍと、の照合処理が行われる。そして、これらの暗証番号ＰＷinと暗証番号ＰＷｍとが一致して正常認証された場合には、制御部２３によって、電気錠２５に対して（直接的に）解錠制御が行われる。
【００３１】
（Ｂ．詳細動作）
続いて図４を参照して、このような電気錠システム２における詳細動作例について説明する。
【００３２】
図４は、図１〜図３に示した電気錠システム２の動作例を流れ図で表したものである。具体的には、この図４では、電気錠システム２（制御機構２４）における各動作例（暗証番号の事前の登録方法、および、暗証番号の照合処理を利用したユーザの認証方法）について、時系列に沿って示している。
【００３３】
（暗証番号の事前の登録方法）
この動作例では、まず、制御機構２４内の記憶部２２に、照合処理を行うための暗証番号ＰＷｍが、ユーザ９によって事前に登録される（図４のステップＳ１００）。具体的には、ユーザ９自身によって登録作業が行われるか、あるいは、電気錠システム２（制御機構２４）の製造時に予め登録されているようにしてもよい。また、この際に、以下説明するユーザ認証のための専用のソフトウェア（アプリケーションソフトウェア）を、所定のウェブサイト（サーバ）から電気錠システム２（制御機構２４）に事前にインストールしておくようにしてもよい。このようにして、以下説明するユーザ認証の前に、暗証番号ＰＷｍ（照合用番号）の事前登録が行われる。
【００３４】
（ユーザの認証方法）
続いて、暗証番号の照合処理を利用したユーザ認証の際には、まず、制御機構２４が、ユーザ９によるテンキー２０への暗証番号ＰＷinの入力の待機状態となる（ステップＳ１０１）。
【００３５】
ここで、このような待機状態となるのに際しては、例えば以下の手法が挙げられる。
・制御機構２４が、ユーザ９による所定の操作により得られる操作信号に応じて起動し、暗証番号ＰＷinの入力の待機状態となる手法（例えば、電気錠システム２に設けられた所定のスイッチを押すことで、制御機構２４が起動して暗証番号ＰＷinの入力の待機状態となる手法。）。
【００３６】
この手法では、ユーザ９による所定の操作（スイッチを押すことなど）が必要となるため、ひと手間かかることになる。ただし、そのような操作が行われるまでは起動しないため、制御機構２４における消費電力の削減が可能となり、特に制御機構２４や電気錠２５が電池電源の場合等には利点が大きいと言える。
【００３７】
次いで、このようにして制御機構２４が暗証番号ＰＷinの入力の待機状態になった後、ユーザ９によってテンキー２０に暗証番号ＰＷinが入力されると（ステップＳ１０２）、この制御機構２４において以下の動作がなされる。
【００３８】
すなわち、制御機構２４内の制御部２３は、このようにしてユーザ９による操作によってテンキー２０に入力された暗証番号ＰＷinと、記憶部２２内に記憶されている（上記したようにして事前登録されている）暗証番号ＰＷｍと、の照合処理を行う（ステップＳ１０３）。具体的には、制御部２３は、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、例えば照合回数の制限を設ける（照合回数が所定の上限回数を超えた場合には、照合処理を強制的に終了する等）などの対応策を取ることで、セキュリティ性を確保するようにするのが望ましい。
【００３９】
ここで、この照合処理において正常認証されなかった場合（ＰＷin＝ＰＷｍを満たさない場合）には（ステップＳ１０３：Ｎ）、制御部２３は電気錠２５に対して解錠制御を行わない（電気錠２５を非解錠として施錠状態のままとする）ようにする（ステップＳ１０４）。そして、制御機構２４は、再び前述したステップＳ１０１へと戻ることになる。
【００４０】
一方、照合処理において正常認証された場合（ＰＷin＝ＰＷｍを満たす場合）には（ステップＳ１０３：Ｙ）、制御部２３は電気錠２５に対して解錠制御を行う（ステップＳ１０５）。これにより、ユーザ９は扉６を開くことができるようになり、図４に示した一連の動作例が終了となる。
【００４１】
［作用・効果］
続いて、本実施の形態の電気錠システム２における作用および効果について、従来例（比較例）と比較しつつ説明する。
【００４２】
まず、従来の電気錠システムにおけるテンキーでは、暗証番号の入力の際に、その暗証番号が他人に読み取られたり、特定の表示領域部分の劣化状態から暗証番号が推測されたりするおそれを低減するため、各数字キー等の配列がランダムに変化するランダム表示が採用されるケースがある。
【００４３】
ところが、各数字キー等が個別に（完全に）ランダム表示された場合、以下の問題が生じる。すなわち、その場合、テンキー内での各数字キー等の配列状態が、ユーザにとって認識しにくくなり（一見して把握しにくくなり）、その結果、テンキーへの入力操作が分かりづらくなる（入力対象の数字キー等を探す手間が発生する）。したがって、このような従来の電気錠システムにおけるテンキーでは、ランダム表示の採用によってセキュリティ性は担保されるものの、ユーザの利便性は低下してしまうことになる。
【００４４】
そこで本実施の形態の電気錠システム２では、制御部２３が、テンキー２０において以下の（ａ）〜（ｃ）に記載した表示がそれぞれなされるように、このテンキー２０に対する表示制御（ランダム表示制御）を行う。
（ａ）複数の単位表示部４０において、複数の数字キー４０Ｎが、それらの数字の大きさの範囲に応じて、複数の数字キー配列ユニット４ａ，４ｂ内に振り分けて表示される。
（ｂ）各数字キー配列ユニット４ａ，４ｂ内では、数字キー４０Ｎが数字順に固定配列して表示される。
（ｃ）複数の単位表示部４０において、複数の数字キー配列ユニット４ａ，４ｂおよび余白キー４０Ｓの配置位置がそれぞれ、ランダムに変化する表示（ランダム表示）がなされる。
【００４５】
ここで、例えば図５（Ａ）〜図５（Ｆ）に示したように、このようなランダム表示の具体例としては、以下の配列パターンＡ〜Ｆがランダムに（その都度）変化する表示態様が挙げられる。
【００４６】
（配列パターンＡ）
図５（Ａ）に示した配列パターンＡの例（前述した図３（Ａ）の例に対応）では、前述した２つの数字キー配列ユニット４ａ，４ｂの直下に、２つの余白キー４０Ｓがそれぞれ行方向に沿って並んで配置されている。また、これら２つの余白キー４０Ｓの直下に、クリアキー４０Ｃおよびエンターキー４０Ｅが行方向に沿って並んで配置されている。
【００４７】
（配列パターンＢ）
図５（Ｂ）に示した配列パターンＢの例（前述した図３（Ｂ）の例に対応）では、２つの数字キー配列ユニット４ａ，４ｂの直下に、クリアキー４０Ｃおよびエンターキー４０Ｅが行方向に沿って並んで配置されている。また、数字キー配列ユニット４ａ，４ｂの直上に、２つの余白キー４０Ｓがそれぞれ行方向に沿って並んで配置されている。
【００４８】
（配列パターンＣ）
図５（Ｃ）に示した配列パターンＣの例は、上記した配列パターンＡまたは配列パターンＢをベースとして、２つの数字キー配列ユニット４ａ，４ｂ同士の配置位置で互いに段差（この例では行方向の位置ずれ）が生じた配列パターンとなっている。具体的には、配列パターンＡをベースとして、数字キー配列ユニット４ｂが行方向に沿って変位する（この例では、下方向に沿って１つの単位表示部４０の分だけ変位する）一方、この数字キー配列ユニット４ｂの直下に位置した余白キー４０Ｓが数字キー配列ユニット４ｂの直上に変位することで、そのような段差を有する配列パターンＣが形成されるようになっている。あるいは、配列パターンＢをベースとして、数字キー配列ユニット４ａが行方向に沿って変位する（この例では、上方向に沿って１つの単位表示部４０の分だけ変位する）一方、この数字キー配列ユニット４ａの直上に位置した余白キー４０Ｓが数字キー配列ユニット４ａの直下に変位することで、そのような段差を有する配列パターンＣが形成されるようになっている。
【００４９】
（配列パターンＤ〜Ｆ）
図５（Ｄ）〜図５（Ｆ）に示した配列パターンＤ〜Ｆの例はそれぞれ、上記した配列パターンＡ〜Ｂにおいて、２つの数字キー配列ユニット４ａ，４ｂ同士（および２つの余白キー４０Ｓ同士）の配置位置が、行方向に沿って互いに入れ替わった（配置位置が左右逆に入れ替わった）配列パターンとなっている。
【００５０】
すなわち、図５（Ｄ）に示した配列パターンＤの例は、配列パターンＡにおいて、２つの数字キー配列ユニット４ａ，４ｂ同士（および２つの余白キー４０Ｓ同士）の配置位置が、行方向に沿って互いに入れ替わった配列パターンとなっている。また、図５（Ｅ）に示した配列パターンＥの例は、配列パターンＢにおいて、２つの数字キー配列ユニット４ａ，４ｂ同士（および２つの余白キー４０Ｓ同士）の配置位置が、行方向に沿って互いに入れ替わった配列パターンとなっている。同様に、図５（Ｆ）に示した配列パターンＦの例は、配列パターンＣにおいて、２つの数字キー配列ユニット４ａ，４ｂ同士および２つの余白キー４０Ｓ同士の配置位置がそれぞれ、行方向に沿って互いに入れ替わった配列パターンとなっている。
【００５１】
本実施の形態の電気錠システム２では、テンキー２０において、このようなランダム表示（例えば上記した配列パターンＡ〜Ｆがランダムに変化する表示態様）がなされるように制御されることで、以下のようになる。
【００５２】
すなわち、まず、テンキー２０においてランダム表示がなされることで、このテンキー２０への暗証番号ＰＷinの入力の際に、その暗証番号ＰＷinが他人に読み取られたり、特定の表示領域部分の劣化状態から暗証番号ＰＷinが推測されたりするおそれが、低くなる。
【００５３】
また、数字の大きさの範囲に応じて、複数の数字キー４０Ｎが複数の数字キー配列ユニット４ａ，４ｂ内に振り分けて表示されるため、例えば、そのような振り分けがなされずに表示される場合（複数の数字キー４０Ｎ全体で、一括して配置位置がランダムに変化する場合等）と比べ、ランダム性が高まることになる。
【００５４】
更に、各数字キー配列ユニット４ａ，４ｂ内では、数字キー４０Ｎが数字順に固定配列して表示されるため、前述した従来例のように、各数字キー４０Ｎが個別に（完全に）ランダム表示される場合等と比べ、以下のようになる。すなわち、テンキー２０内での各数字キー４０Ｎの配列状態が、ユーザ９にとって認識し易くなり（一見して把握し易くなり）、その結果、テンキー２０への入力操作が分かり易くなる（入力対象の数字キー４０Ｎ等を探す手間が省けることになる）。
【００５５】
以上のことから、本実施の形態では、セキュリティ性を担保しつつ、ユーザの利便性を向上させることが可能となる。
【００５６】
また、このようにしてテンキー２０への入力操作が分かり易くなることから、ユーザ９による暗証番号ＰＷinの入力時間（入力に要する時間）が短くなり、その結果、例えば電気錠２５が電池駆動の場合、その電池寿命を長くすることも可能となる。
【００５７】
更に、本実施の形態では、このようなランダム表示の際に、制御部２３は、複数の数字キー配列ユニット４ａ，４ｂ同士の配置位置が互いに入れ替わることとなるように、テンキー２０に対する表示制御を行う。具体的には、例えば上記した配列パターンＡ〜Ｃと配列パターンＤ〜Ｆとの関係のようにして、ランダム表示の際の配置位置の入れ替え制御を行う。これにより、例えば後述する変形例２のように、ランダム表示の際に配置位置の入れ替え制御を行わない場合と比べ、ランダム性を高めることができ、セキュリティ性を更に向上させることが可能となる。
【００５８】
また、この際に、制御部２３は、２つの数字キー配列ユニット４ａ，４ｂ同士（および２つの余白キー４０Ｓ同士）の配置位置が、行方向（列方向に対する直交方向）に沿って互いに入れ替わるように、表示制御を行う。これにより、例えば逆に、行方向（各数字キー配列ユニット４ａ，４ｂの延伸方向）に沿って入れ替える場合等とは異なり、テンキー２０内での各数字キー４０Ｎの配列状態の認識し易さを損なうことなく、セキュリティ性の更なる向上を図ることが可能となる。
【００５９】
更に、本実施の形態では、このようなランダム表示の際に、制御部２３は、複数の数字キー配列ユニット４ａ，４ｂ同士の配置位置で互いに段差が生じることとなるように、テンキー２０に対する表示制御を行う。具体的には、例えば上記した配列パターンＡ，Ｂと配列パターンＣとの関係、あるいは、配列パターンＤ，Ｅと配列パターンＦとの関係のようにして、ランダム表示の際にそのような段差（位置ずれ）が生じる制御を行う。これにより、例えば後述する変形例１のように、ランダム表示の際にそのような段差が生じる制御を行わない場合と比べ、ランダム性を高めることができ、セキュリティ性を更に向上させることが可能となる。
【００６０】
加えて、本実施の形態では、このようなランダム表示の際に、制御部２３は、クリアキー４０Ｃおよびエンターキー４０Ｅについてはそれぞれ、複数の単位表示部４０において固定配置にて表示されるように、テンキー２０に対する表示制御を行う（例えば図５（Ａ）〜図５（Ｆ）参照）。これにより、テンキー２０内での各数字キー４０Ｎの配列状態の認識し易さを損なうことなく、セキュリティ性を担保することが可能となる。これは、これらのクリアキー４０Ｃおよびエンターキー４０Ｅへの入力についてはそれぞれ、仮に他人に読み取られたり推測されたとしても、セキュリティ性の低下には関与しないためである。
【００６１】
また、本実施の形態では、テンキー２０において、数字キー配列ユニット４ａ，４ｂの個数と余白キー４０Ｓの個数とが、互いに等しくなっている（この例では２個）ようにしたので、テンキー２０における複数の表示部４０全体として、最小限の余白領域で済むようになる。これは、数字キー４０Ｎの配置位置が１つだけずれる場合でも、セキュリティ性の向上には十分に寄与するためである。その結果、本実施の形態では、テンキー２０が過度に大型化するのを回避することができ、電気錠システム２全体の小型化を図ることも可能となる。
【００６２】
＜２．変形例＞
続いて、上記実施の形態の変形例（変形例１〜７）について説明する。なお、以下では、実施の形態における構成要素と同一のものには同一の符号を付し、適宜説明を省略する。
【００６３】
［変形例１，２］
以下の変形例１，２では、テンキー２０におけるランダム表示に用いられる他の配列パターン例について説明する。
【００６４】
図６（Ａ）〜図６（Ｄ）はそれぞれ、変形例１に係るテンキー２０でのランダム表示の一例を模式的に表したものである。また、図７（Ａ）〜図７（Ｃ）はそれぞれ、変形例２に係るテンキー２０でのランダム表示の一例を模式的に表したものである。
【００６５】
（Ａ．変形例１）
図６（Ａ）〜図６（Ｄ）に示した変形例１では、テンキー２０において、図５（Ａ）〜図５（Ｆ）に示した５種類の配列パターンＡ〜Ｆのうち、４種類の配列パターンＡ，Ｂ，Ｄ，Ｅ同士の間で変化する表示態様にてランダム表示がなされるように、制御される。すなわち、この変形例１では、上記実施の形態におけるランダム表示とは異なり、ランダム表示の際に、前述した段差（複数の数字キー配列ユニット４ａ，４ｂ同士の配置位置のずれ）が生じない配列パターンの組合せとなっている。
【００６６】
（Ｂ．変形例２）
一方、図７（Ａ）〜図７（Ｃ）に示した変形例２では、テンキー２０において、図５（Ａ）〜図５（Ｆ）に示した５種類の配列パターンＡ〜Ｆのうち、３種類の配列パターンＡ，Ｂ，Ｃ同士の間で変化する表示態様にてランダム表示がなされるように、制御される。すなわち、この変形例２では、上記実施の形態におけるランダム表示とは異なり、ランダム表示の際に、前述した、複数の数字キー配列ユニット４ａ，４ｂ同士の配置位置の入れ替え制御が行われない配列パターンの組み合わせとなっている。
【００６７】
このように、テンキー２０におけるランダム表示の際の配列パターンの構成例（組合せ）については、上記実施の形態で説明したものには限られず、これらの変形例１，２のような配列パターンの構成例としてもよい。
【００６８】
ただし、実施の形態において前述したように、ランダム表示の際に、上記した段差を生じさせる制御を行ったり、配置位置の入れ替え制御を行ったりしたほうが、ランダム性を高めることができ、セキュリティ性を更に向上させることが可能になると言える。
【００６９】
［変形例３〜５］
以下の変形例３〜５では、テンキーを有する携帯端末と、電気錠システムとを含んで構成された認証システム（暗証番号の照合処理を利用したユーザの認証システム）について説明する。
【００７０】
（Ｃ．変形例３）
図８は、変形例３に係る認証システム（認証システム３Ｃ）の概要構成例を、外観模式図で表したものである。本変形例の認証システム３Ｃもまた、実施の形態の電気錠システム２と同様に、例えば、マンションなどの集合住宅における各住戸の扉６に適用（設置）されるシステムであり、暗証番号の照合を使用したユーザの認証システムとなっている。この認証システム３Ｃは、図８に示したように、ユーザ９が保有（所持）する携帯端末１Ｃと、電気錠（電気錠２５）を有する電気錠システム２Ｃとを備えている。
【００７１】
認証システム３Ｃでは、例えば図８に示したように、扉６に設けられた電気錠システム２Ｃにおける電気錠の施錠および解錠が、この電気錠システム２Ｃにおける制御機構（後述する制御機構２４Ｃ）によって制御されるようになっている。また、この制御機構と携帯端末１との間は、図８に示したように、無線通信Ｃ１２（非接触通信）を行うことが可能となっている。
【００７２】
図９は、このような認証システム３Ｃの詳細構成例をブロック図で表したものである。認証システム３Ｃは、上記したように、携帯端末１Ｃおよび電気錠システム２Ｃを備えている。
【００７３】
（携帯端末１Ｃ）
携帯端末１Ｃは、上記したように、例えば、ユーザ９によって所持される携帯型の端末機であり、電気錠システム２Ｃにおける上記した制御機構（後述する通信部２１）との間で無線通信Ｃ１２を行う機能を有している。この携帯端末１Ｃは、図９に示したように、テンキー１０、通信部１１、記憶部１２および制御部１３Ｃを有している。ここで、制御部１３は、本発明における「電気錠制御装置」および「制御部」の一具体例に対応している。なお、このような携帯端末１Ｃは、例えば、通話機能を有する携帯電話機（スマートフォン等）、あるいは、認証システム３Ｃに適用される専用端末機等により構成されている。
【００７４】
テンキー１０は、実施の形態および変形例１，２で説明したテンキー２０と同様の構成（図３および図５等）を有するものとなっている。すなわち、このテンキー２０と同様にして、前述した態様のランダム表示がなされるようになっている。
【００７５】
通信部１１は、図９に示したように、電気錠システム２Ｃ内の後述する通信部２１との間で無線通信Ｃ１２を行う機能を有している。これにより携帯端末１Ｃと電気錠システム２Ｃとの間で、暗証番号ＰＷｍを含む各種情報の無線通信（ワイヤレスでの送受信）を行うことが可能となっている。また、この無線通信Ｃ１２は、例えば、ＬＦ波（Low Frequency；長波）やＶＨＦ波（Very Low Frequency；超長波）、ＢＬＥ（Bluetooth（登録商標） Low Energy）通信等の電波式の通信などで行われ、その際の通信範囲（送受信が可能な範囲）が所定の距離（例えば数ｍ程度）に設定されている。
【００７６】
記憶部１２は、例えば携帯端末１Ｃに固有のＰＩＮ（Personal Identification Number）コードを含め、各種のデータを記憶する部分である。このような記憶部１２は、前述した記憶部２２と同様に、各種の記録媒体により構成されている。
【００７７】
制御部１３Ｃは、各種データの入出力制御および処理制御や通信制御等、携帯端末１Ｃにおける各種の制御を行うと共に、テンキー１０に対する表示制御を行うものである。具体的には、制御部１３は、例えば図９に示したように、ユーザ９によってテンキー１０に入力された暗証番号ＰＷinを、無線通信Ｃ１２によって後述する制御機構２４Ｃ（通信部２１）へ送信する制御を行う。これにより詳細は後述するが、電気錠システム２Ｃ内の電気錠２５に対して間接的な解錠制御が行われるようになっている。また、制御部１３Ｃは、テンキー１０において前述したランダム表示がなされるように、このテンキー２０に対する表示制御（ランダム表示制御）を行う機能を有している。このような制御部１３Ｃは、前述した制御部２３と同様に、例えばＣＰＵやＲＯＭ、ＲＡＭ等を用いたマイクロコンピューターなどにより構成されている。なお、この制御部１３における制御動作の詳細については、後述する（図１０）。
【００７８】
（電気錠システム２Ｃ）
電気錠システム２Ｃは、図９に示したように、制御機構２４Ｃおよび電気錠２５を有している。すなわち、この電気錠システム２Ｃは、実施の形態の電気錠システム２において、制御機構２４の代わりに制御機構２４Ｃを設けたものに対応しており、他の構成は基本的に同様となっている。
【００７９】
制御機構２４Ｃは、通信部２１、記憶部２２および制御部２３Ｃを有している。すなわち、この制御機構２４Ｃは、実施の形態の制御機構２４において、制御部２３の代わりに制御部２３Ｃを設けたものに対応しており、他の構成は基本的に同様となっている。なお、本変形例における記憶部２２は、本発明における「第１の記憶部」の一具体例に対応している。
【００８０】
制御部２３Ｃは、基本的には制御部２３と同様に、各種データの入出力制御および処理制御や通信制御、照合処理等、制御機構２４Ｃにおける各種の制御を行うと共に、電気錠２５に対する施錠制御および解除制御を行うものである。
【００８１】
ただし、この制御部２３Ｃは制御部２３とは異なり、携帯端末１Ｃ内のテンキー１０において入力されて制御機構２４Ｃへ送信された暗証番号ＰＷinと、記憶部２２に記憶されている（事前登録されている）暗証番号ＰＷｍとの照合処理を行うようになっている。また、制御部２３Ｃは、このような照合処理の結果（照合結果）に応じて、電気錠２５に対して解除制御を行うようになっている。このような制御部２３Ｃは、制御部２３と同様に、例えばＣＰＵやＲＯＭ、ＲＡＭ等を用いたマイクロコンピューターなどにより構成されている。なお、この制御部２３Ｃにおける制御動作の詳細については、後述する（図１０）。
【００８２】
（基本動作）
この認証システム３Ｃでは、図８および図９に示したように、帰宅したユーザ９によって、テンキー１０を用いて携帯端末１Ｃへ暗証番号ＰＷinが入力されると、以下のようにして、ユーザの認証処理（暗証番号の照合処理、および、その結果に応じた電気錠２５に対する解除制御）が行われる。
【００８３】
すなわち、まず、この携帯端末１Ｃと、電気錠システム２Ｃにおける制御機構２４Ｃ内の通信部２１との間の無線通信Ｃ１２によって、テンキー１０に入力された暗証番号ＰＷinが、制御機構２４Ｃ内（通信部２１）へ送信される。次いで、その送信された暗証番号ＰＷinと、電気錠システム２Ｃに事前に登録されている暗証番号ＰＷｍとの照合処理が行われる。そして、これらの暗証番号ＰＷinと暗証番号ＰＷｍとが一致して正常認証された場合には、電気錠２５に対する解錠制御が行われる。
【００８４】
（詳細動作例）
ここで図１０を参照して、この認証システム３Ｃにおける動作例について、より具体的に説明する。図１０は、図８および図９に示した認証システム３Ｃの動作例を流れ図で表したものであり、携帯端末１Ｃおよび電気錠システム２Ｃ（制御機構２４Ｃ）における各動作例（暗証番号の事前の登録方法、および、暗証番号の照合処理を利用したユーザの認証方法）について、時系列に沿って示している。
【００８５】
この動作例では、まず、制御機構２４Ｃ内の記憶部２２に、照合処理を行うための暗証番号ＰＷｍが、ユーザ９によって事前に登録される（図１０のステップＳ２００）。具体的には、照合用番号としての暗証番号ＰＷｍと携帯端末１Ｃとが、対応付けられて順次記憶される。このようにして、以下説明するユーザ認証の前に、暗証番号ＰＷｍ（照合用番号）の事前登録が行われる。
【００８６】
続いて、暗証番号の照合処理を利用したユーザ認証の際には、まず、制御機構２４Ｃが、携帯端末１Ｃからの無線通信Ｃ１２による信号受信の待機状態となる（ステップＳ２０１）。
【００８７】
ここで、このような信号受信の待機状態となるのに際しては、例えば以下の２つの手法（手法１，手法２）が挙げられる。
・（手法１）：制御機構２４Ｃが、ユーザ９による所定の操作により得られる操作信号に応じて起動し、信号受信の待機状態となる手法（例えば、通信部２１に設けられた所定のスイッチを押すことで、制御機構２４Ｃが起動して信号受信の待機状態となる手法。）。
・（手法２）：制御機構２４Ｃが常時起動しており、例えば間欠的に信号受信の待機（検出）をする手法。
【００８８】
手法１の場合、ユーザ９による所定の操作（スイッチを押すことなど）が必要となるため、ひと手間かかることになる。ただし、そのような操作が行われるまでは起動しないため、制御機構２４Ｃにおける消費電力の削減が可能となり、特に制御機構２４Ｃや電気錠２５が電池電源の場合等には利点が大きいと言える。一方、手法２の場合、そのようなユーザ９による所定の操作が不要となるため、手法１の場合と比べ、ユーザ９の手間が省けて利便性が向上するという利点がある。ただし、制御機構２４Ｃが常時起動していて例えば間欠的に信号検知していることから、手法１の場合と比べ、制御機構２４Ｃにおける消費電力が増加してしまうことになる。
【００８９】
次いで、制御機構２４Ｃがこのような信号受信の待機状態となっているときに、ユーザ９によってテンキー１０が操作されることで、携帯端末１Ｃに暗証番号ＰＷinが入力されると（ステップＳ２０２）、この携帯端末１Ｃにおいて以下の動作がなされる。すなわち、まず、携帯端末１Ｃ内の通信部１１は、テンキー１０から入力された暗証番号ＰＷinを、制御部１３Ｃの指示に従い、無線通信Ｃ１２によって制御機構２４Ｃ側（通信部２１）へ送信する（ステップＳ２０３）。
【００９０】
続いて、制御機構２４Ｃ内の制御部２３Ｃは、このようにして通信部２１において受信した暗証番号ＰＷinと、記憶部２２内に記憶されている（上記したようにして事前登録されている）暗証番号ＰＷｍとの照合処理を行う（ステップＳ２０４）。具体的には、制御部２３Ｃは、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、例えば照合回数の制限を設ける（照合回数が所定の上限回数を超えた場合には、照合処理を強制的に終了する等）などの対応策を取ることで、セキュリティ性を確保するようにするのが望ましい。
【００９１】
ここで、この照合処理において正常認証されなかった場合（ＰＷin＝ＰＷｍを満たさない場合）には（ステップＳ２０４：Ｎ）、制御部２３Ｃは電気錠２５に対して解錠制御を行わない（電気錠２５を非解錠として施錠状態のままとする）ようにする（ステップＳ２０５）。そして、制御機構２４Ｃは、再び前述したステップＳ２０１へと戻ることになる。
【００９２】
一方、照合処理において正常認証された場合（ＰＷin＝ＰＷｍを満たす場合）には（ステップＳ２０４：Ｙ）、制御部２３Ｃは電気錠２５に対して解錠制御を行う（ステップＳ２０６）。これにより、ユーザ９は扉６を開くことができるようになり、図１０に示した一連の動作例が終了となる。
【００９３】
（作用・効果）
本変形例の認証システム３Ｃでは、携帯端末１Ｃ内のテンキー１０において、実施の形態および変形例１，２で説明したテンキー２０と同様にして、前述した態様のランダム表示がなされる。具体的には、携帯端末１Ｃ内の制御部１３Ｃが、テンキー１０に対してそのようなランダム表示制御を行う（例えば、図１０中のステップＳ２０２参照）。したがって、本変形例においても基本的には実施の形態と同様の作用により、同様の効果を得ることが可能となる。すなわち、セキュリティ性を担保しつつ、ユーザの利便性を向上させることが可能となる。
【００９４】
また、本変形例の認証システム３Ｃでは、図９に示したように、携帯端末１Ｃ内の記憶部１２ではなく、制御機構２４Ｃ内の記憶部２２に、事前に登録された暗証番号ＰＷｍが記憶されている。そして、携帯端末１Ｃ内の制御部１３Ｃではなく、制御機構２４Ｃ内の制御部２３Ｃにおいて、入力された暗証番号ＰＷinと記憶されている暗証番号ＰＷｍとの照合処理が行われる。なお、このようにしてなされた照合処理において正常認証がなされた場合には、制御部２３Ｃから電気錠２５に対し、解錠制御が直接なされるようになっている。
【００９５】
したがって本変形例では、例えば、仮に携帯端末１Ｃが盗難や紛失したりしたとしても、以下のようになる。すなわち、後述する変形例４とは異なり、携帯端末１Ｃ内（記憶部１２）には事前登録された暗証番号ＰＷｍが記憶されていないことから、例えば携帯端末１Ｃが分解されて解析されたとしても、他人に暗証番号ＰＷｍを解読されてしまうおそれがない。よって、本変形例の認証システム３Ｃでは、以下説明する変形例４と比べ、無線通信Ｃ１２を利用して暗証番号による照合処理を行う際の、セキュリティ性を向上させることも可能となる。
【００９６】
（Ｄ．変形例４）
図１１は、変形例４に係る認証システム（認証システム３Ｄ）の構成例をブロック図で表したものである。本変形例の認証システム３Ｄは、変形例３の認証システム３Ｃと同様に、暗証番号の照合を使用したユーザの認証システムである。この認証システム３Ｄは、図１１に示したように、ユーザ９が保有する携帯端末１Ｄと、電気錠（電気錠２５）を有する電気錠システム２Ｄとを備えている。
【００９７】
携帯端末１Ｄは、テンキー１０、通信部１１、記憶部１２および制御部１３Ｄを有している。すなわち、この携帯端末１Ｄは、図９に示した変形例３の携帯端末１Ｃにおいて、制御部１３Ｃの代わりに制御部１３Ｄを設けたものに対応し、他の構成は基本的に同様となっている。ただし、本変形例の記憶部１２には、変形例３の記憶部１２とは異なり、予め事前登録された暗証番号ＰＷｍが記憶されるようになっている。なお、制御部１３Ｄは、本発明における「電気錠制御装置」および「制御部」の一具体例に対応している。また、本変形例における記憶部１２は、本発明における「第２の記憶部」の一具体例に対応している。
【００９８】
電気錠システム２Ｄは、制御機構２４Ｄおよび電気錠２５を有している。すなわち、この電気錠システム２Ｄは、図９に示した変形例３の電気錠システム２Ｃにおいて、制御機構２４Ｃの代わりに制御機構２４Ｄを設けたものに対応し、他の構成は基本的には同様となっている。この制御機構２４Ｄは、通信部２１、記憶部２２および制御部２３Ｄを有している。すなわち、制御機構２４Ｄは、図９に示した変形例３の制御機構２４Ｃにおいて、制御部２３Ｃの代わりに制御部２３Ｄを設けたものに対応し、他の構成は基本的に同様となっている。ただし、本変形例の記憶部２２には、変形例３の記憶部２２とは異なり、上記した暗証番号ＰＷｍが記憶されないようになっている。
【００９９】
このような構成の本変形例の認証システム３Ｄでは、変形例３の認証システム３Ｃとは異なり、制御機構２４Ｄ内の制御部２３Ｄではなく、携帯端末１Ｄ内の制御部１３Ｄにおいて、テンキー１０に入力された暗証番号ＰＷinと記憶されている暗証番号ＰＷｍとの照合処理が行われる。なお、このようにしてなされた照合処理において正常認証がなされた場合には、図１１に示したように、制御部１３Ｄから無線通信Ｃ１２を介して、電気錠２５に対して（間接的に）解錠制御するための指示信号Ｓｉが、制御部２３Ｄへ供給されるようになっている。
【０１００】
ここで、本変形例の認証システム３Ｄにおいても、携帯端末１Ｄ内のテンキー１０において、実施の形態および変形例１〜３で説明したテンキー１０，２０と同様にして、前述した態様のランダム表示がなされる。具体的には、携帯端末１Ｄ内の制御部１３Ｄが、テンキー１０に対してそのようなランダム表示制御を行う。したがって、本変形例においても基本的には実施の形態と同様の作用により、同様の効果を得ることが可能となる。すなわち、セキュリティ性を担保しつつ、ユーザの利便性を向上させることが可能となる。
【０１０１】
（Ｅ．変形例５）
図１２は、変形例５に係る認証システム（認証システム３Ｅ）の構成例をブロック図で表したものである。本変形例の認証システム３Ｅは、変形例３，４の認証システム３Ｃ，３Ｄと同様に、暗証番号の照合を使用したユーザの認証システムである。この認証システム３Ｅは、図１２に示したように、ユーザ９が保有する携帯端末１Ｅと、電気錠（電気錠２５）を有する電気錠システム２Ｅとを備えている。
【０１０２】
（携帯端末１Ｅ）
携帯端末１Ｅは、テンキー１０、通信部１１、記憶部１２および制御部１３Ｅを有している。すなわち、この携帯端末１Ｅは、図９に示した変形例３の携帯端末１Ｃにおいて、制御部１３Ｃの代わりに制御部１３Ｅを設けたものに対応し、他の構成は基本的に同様となっている。なお、制御部１３Ｅは、本発明における「電気錠制御装置」および「制御部」の一具体例に対応している。
【０１０３】
この制御部１３Ｅは、電気錠システム２Ｅ（後述する制御機構２４Ｅ）側から送信されてきた暗証番号ＰＷｍと、携帯端末１Ｅ内のテンキー１０において入力された暗証番号ＰＷinとの照合処理を行う機能を有している。また、制御部１３Ｅは、この照合処理において正常認証された場合には、電気錠２５に対して（間接的に）解錠制御を行うための指示信号Ｓｉを、無線通信Ｃ１２を利用して通信部１１から電気錠システム２Ｅ（後述する制御機構２４Ｅ）側へと送信させる機能を有している。なお、この制御部１３Ｅにおける制御動作の詳細については、後述する（図１３）。
【０１０４】
（電気錠システム２Ｅ）
電気錠システム２Ｅは、制御機構２４Ｅおよび電気錠２５を有している。すなわち、この電気錠システム２Ｅは、図９に示した変形例３の電気錠システム２Ｃにおいて、制御機構２４Ｃの代わりに制御機構２４Ｅを設けたものに対応し、他の構成は基本的には同様となっている。この制御機構２４Ｅは、通信部２１、記憶部２２および制御部２３Ｅを有している。すなわち、制御機構２４Ｅは、図９に示した変形例３の制御機構２４Ｃにおいて、制御部２３Ｃの代わりに制御部２３Ｅを設けたものに対応し、他の構成は基本的に同様となっている。なお、本変形例における記憶部２２は、本発明における「第３の記憶部」の一具体例に対応している。
【０１０５】
この制御部２３Ｅは、制御機構２４Ｅ内の記憶部２２に記憶されている（事前登録されている）暗証番号ＰＷｍを、無線通信Ｃ１２を利用して通信部２１から携帯端末１Ｅ側（通信部１１）へと送信させる機能を有している。また、制御部２３Ｅは、上記したようにして通信部２１を介して携帯端末１Ｅ側から受信した指示信号Ｓｉに基づいて、電気錠２５に対して解錠制御を行う機能を有している。なお、この制御部２３Ｅにおける制御動作の詳細については、後述する（図１３）。
【０１０６】
（動作例）
ここで図１３を参照して、本変形例の認証システム３Ｅにおける動作例について、具体的に説明する。図１３は、図１２に示した認証システム３Ｅにおける動作例を流れ図で表したものであり、携帯端末１Ｅおよび電気錠システム２Ｅ（制御機構２４Ｅ）における各動作例（暗証番号の事前の登録方法、および、暗証番号の照合処理を利用したユーザの認証方法）について、時系列に沿って示している。
【０１０７】
この動作例では、まず、図１０に示した変形例３と同様にして、制御機構２４Ａ内の記憶部２２に、照合処理を行うための暗証番号ＰＷｍが、ユーザ９によって事前に登録される（図１３のステップＳ３００）。このようにして、以下説明するユーザ認証の前に、暗証番号ＰＷｍ（照合用番号）の事前登録が行われる。
【０１０８】
続いて、暗証番号の照合処理を利用したユーザ認証の際には、まず、制御機構２４Ｅが、携帯端末１Ｅからの無線通信Ｃ１２による信号受信の待機状態となる（ステップＳ３０１）。なお、このような信号受信の待機状態となるのに際しては、変形例３と同様に、前述した２つの手法（手法１，手法２）が挙げられる。
【０１０９】
次いで、制御機構２４Ｅがこのような信号受信の待機状態となっているときに、無線通信Ｃ１２を利用して、所定のトリガ信号が携帯端末１Ｅから制御機構２４Ｅ側へと送信されると（ステップＳ３０２）、この制御機構２４Ｅにおいて以下の動作がなされる。すなわち、制御機構２４Ｅ内の通信部２１は、制御部２３Ｅの指示に従い、記憶部２２に記憶されている（上記したようにして事前登録されている）暗証番号ＰＷｍを、無線通信Ｃ１２によって携帯端末１Ｅ側（通信部１１）へと送信する（ステップＳ３０３）。
【０１１０】
このようにして、通信部２１から携帯端末１Ｅ（通信部１１）への暗証番号ＰＷｍの送信動作が、携帯端末１Ｅ側からの所定の動作により開始される。具体的には、この所定の動作は、例えば、携帯端末１Ｅから制御機構２４Ｅに対する所定のトリガ信号の送信動作となっている。
【０１１１】
ここで、このような制御機構２４Ｅから携帯端末１Ｅへの暗証番号ＰＷｍの送信の際には、無線通信Ｃ１２による送信であることから、セキュリティ性の確保のため、何らかの傍受対策（例えば、各種の暗号化処理など）を取るようにするのが望ましい。なお、このようにして携帯端末１Ｅ側に暗証番号ＰＷｍが送信されても、ユーザ９にはその送信された暗証番号ＰＷｍが把握できない（通知されない）ようになっている。
【０１１２】
続いて、ユーザ９によってテンキー１０が操作されることで、携帯端末１Ｅに暗証番号ＰＷinが入力されると（ステップＳ３０４）、この携帯端末１Ｅにおいて以下の動作がなされる。すなわち、まず、携帯端末１Ｅ内の制御部１３Ｅは、上記のようにして通信部１１において受信した暗証番号ＰＷｍと、ユーザ９によって入力された暗証番号ＰＷinとの照合処理を行う（ステップＳ３０５）。具体的には、制御部１３Ｅは、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、変形例３と同様に、例えば照合回数の制限を設けるなどの対応策を取ることで、セキュリティ性を確保するようにするのが望ましい。
【０１１３】
ここで、この照合処理において正常認証されなかった場合（ＰＷin＝ＰＷｍを満たさない場合）には（ステップＳ３０５：Ｎ）、制御部１３Ｅは、電気錠２５に対する解錠制御を行わせないようにする。具体的には、携帯端末１Ｅでは、以下説明するステップＳ３０６，Ｓ３０７へと進まず、後述するステップＳ３０８へと進む（あるいは、前述したステップＳ３０４へと再び戻る）ことになる。
【０１１４】
一方、照合処理において正常認証された場合（ＰＷin＝ＰＷｍを満たす場合）には（ステップＳ３０５：Ｙ）、制御部１３Ｅは、電気錠２５に対して解錠制御を行うための指示信号Ｓｉを、無線通信Ｃ１２を利用して通信部１１から制御機構２４Ｅ側（通信部２１）へと送信させる（ステップＳ３０６）。
【０１１５】
続いて、制御機構２４Ｅ内の制御部２３Ｅは、このようにして通信部２１を介して受信した指示信号Ｓｉに基づいて、電気錠２５に対して解錠制御を行う（ステップＳ３０７）。これにより、ユーザ９は扉６を開くことができるようになる。
【０１１６】
なお、前述したステップＳ３０３において、通信部２１から携帯端末１Ｅ側へ送信された暗証番号ＰＷｍは、所定時間（例えば数秒程度から数分程度など）の経過後に、その携帯端末１Ｅ内から自動的に消去されるようになっている（ステップＳ３０８）。これにより前述したように、携帯端末１Ｅ内（記憶部１２）には、事前登録された暗証番号ＰＷｍがそのまま記憶されず、一時的に保持されるだけとなる。したがって、変形例３と同様に、仮に携帯端末１Ｅが盗難や紛失したりして、分解されて解析されたとしても、携帯端末１Ｅ内には送信された暗証番号ＰＷｍが残っていない（記憶されていない）ことから、他人に暗証番号ＰＷｍを解読されてしまうおそれがない。
【０１１７】
以上により、図１３に示した一連の動作例が終了となる。
【０１１８】
（作用・効果）
本変形例の認証システム３Ｅにおいても、携帯端末１Ｅ内のテンキー１０において、実施の形態および変形例１〜４で説明したテンキー１０，２０と同様にして、前述した態様のランダム表示がなされる。具体的には、携帯端末１Ｅ内の制御部１３Ｅが、テンキー１０に対してそのようなランダム表示制御を行う（例えば、図１３中のステップＳ３０４参照）。したがって、本変形例においても基本的には実施の形態と同様の作用により、同様の効果を得ることが可能となる。すなわち、セキュリティ性を担保しつつ、ユーザの利便性を向上させることが可能となる。
【０１１９】
また、本変形例の認証システム３Ｅにおいても、図１２に示したように、変形例３の認証システム３Ｃと同様に、携帯端末１Ｅ内の記憶部１２ではなく、電気錠システム２Ｅにおける制御機構２４Ｅ内の記憶部２２に、事前登録された暗証番号ＰＷｍが記憶されている。一方で、認証システム３Ｃとは異なり、この暗証番号ＰＷｍが制御機構２４Ｅ内から携帯端末１Ｅ側へと無線通信Ｃ１２により送信されることで、以下のようにして照合処理が行われる。すなわち、制御機構２４Ｅ内の制御部２３Ｅではなく、携帯端末１Ｅ内の制御部１３Ｅにおいて、入力された暗証番号ＰＷinと暗証番号ＰＷｍとの照合処理が行われる。なお、このようにしてなされた照合処理において正常認証がなされた場合には、制御部１３Ｅから電気錠２５に対し、間接的に（解錠制御を行うための指示信号Ｓｉを利用して制御部２３Ｅを介して）解錠制御がなされる。
【０１２０】
これにより、本変形例においても変形例３と同様に、前述した変形例４と比べ、セキュリティ性が向上することになる。具体的には、例えば、仮に携帯端末１Ｅが盗難や紛失したりしたとしても、以下のようになる。すなわち、変形例４とは異なり、携帯端末１Ｅ内（記憶部１２）には事前登録された暗証番号ＰＷｍが記憶されていないことから、例えば携帯端末１Ｅが分解されて解析されたとしても、他人に暗証番号ＰＷｍを解読されてしまうおそれがない。よって、本変形例の認証システム３Ｅにおいても、変形例４と比べ、無線通信Ｃ１２を利用して暗証番号による照合処理を行う際の、セキュリティ性を向上させることも可能となる。
【０１２１】
［変形例６，７］
以下の変形例６，７では、電気錠システムにおける各ブロックを複数の装置に分けて内蔵した例について説明する。
【０１２２】
（Ｆ．変形例６）
図１４は、変形例６に係る電気錠システム（電気錠システム２Ｆ）の概要構成例を、外観模式図で表したものである。
【０１２３】
本変形例の電気錠システム２Ｆは、実施の形態で説明した電気錠システム２とは異なり、この電気錠システム２Ｆを構成する各ブロック（テンキー２０、制御機構２４および電気錠２５）が、互いに別体の複数の装置に分かれて内蔵されている。換言すると、電気錠システム２Ｆは、複数の装置により構成されている。具体的には、この電気錠システム２Ｆは、この例では図１４に示したように、テンキー２０を内蔵する装置と、制御機構２４を内蔵する装置と、２つの電気錠５を個別に内蔵する装置とにより構成されている。そして、テンキー２０と制御機構２４との間は、有線または無線の通信Ｃ３０により接続されていると共に、制御機構２４と各電気錠２５との間も電気的に接続されている。
【０１２４】
（Ｇ．変形例７）
図１５は、変形例７に係る認証システム（認証システム３Ｇ）の概要構成例を、外観模式図で表したものである。この図１５に示したように、本変形例の認証システム３Ｇは、携帯端末１Ｃ（あるいは携帯端末１Ｄ，１Ｅのいずれか）と、本変形例に係る電気錠システム（電気錠システム２Ｇ）とを備えている。
【０１２５】
この電気錠システム２Ｇもまた、上記した変形例６の電気錠システム２Ｆと同様に、この電気錠システム２Ｇを構成する各ブロック（制御機構２４Ｃ（あるいは制御機構２４Ｄ，２４Ｅのいずれか）、および電気錠２５）が、互いに別体の複数の装置に分かれて内蔵されている。換言すると、電気錠システム２Ｇは、複数の装置により構成されている。具体的には、この電気錠システム２Ｇは、この例では図１５に示したように、制御機構２４Ｃ（制御機構２４Ｄ，２４Ｅ）を内蔵する装置と、２つの電気錠５を個別に内蔵する装置とにより構成されている。そして、制御機構２４Ｃ（制御機構２４Ｄ，２４Ｅ）と各電気錠２５との間が電気的に接続されていると共に、これまでの説明と同様に、制御機構２４Ｃ（制御機構２４Ｄ，２４Ｅ）と携帯端末１Ｃ（携帯端末１Ｄ，１Ｅ）との間は無線通信Ｃ１２により接続されている。
【０１２６】
これら変形例６，７の電気錠システム２Ｆ，２Ｇにおいても、基本的には、実施の形態の電気錠システム２や変形例３〜５の認証システム３Ｃ〜３Ｅと同様の作用により、同様の効果を得ることが可能である。すなわち、セキュリティ性を担保しつつ、ユーザの利便性を向上させることが可能となる。
【０１２７】
なお、これらの変形例６，７において、例えば、前述した変形例１，２における手法を組み合わせて利用するようにしてもよい。
【０１２８】
＜３．その他の変形例＞
以上、実施の形態および変形例を挙げて本発明を説明したが、本発明はこれらの実施の形態等に限定されず、種々の変形が可能である。
【０１２９】
例えば、上記実施の形態等では、携帯端末と電気錠システムとの間でのデータのやり取りの手法（データのやり取りの順番や通信手法等）について具体的に説明したが、これらの手法には限られず、他の手法を用いてデータのやり取りを行うようにしてもよい。
【０１３０】
また、例えば、テンキーにおけるランダム表示の手法（配列パターンの構成例）や、テンキー内での単位表示部のマトリクス配置例（行および列の数）、テンキー内で使用されるキーの個数や種類等についても、上記実施の形態等で説明したものには限られず、他の構成や手法を用いるようにしてもよい。
【０１３１】
更に、上記実施の形態等では、携帯端末および電気錠システムの構成例（機能ブロック構成例）について具体的に説明したが、これらの構成例には限られず、他の構成としてもよい。
【０１３２】
加えて、本発明は、集合住宅以外の他の集合建築物（例えば、オフィスビルや工場等）にも適用することが可能である。
【符号の説明】
【０１３３】
１Ｃ，１Ｄ，１Ｅ…携帯端末、１０…テンキー（入力部）、１１…通信部、１２…記憶部、１３Ｃ〜１３Ｅ…制御部、２，２Ｃ〜２Ｇ…電気錠システム、２０…テンキー（入力部）、２１…通信部、２２…記憶部、２３，２３Ｃ〜２３Ｅ…制御部、２４，２４Ｃ〜２４Ｅ…制御機構、２５…電気錠、２９…ノブ、３Ｃ〜３Ｅ，３Ｇ…認証システム、４ａ，４ｂ…数字キー配列ユニット、４０…単位表示部、４０Ｎ…数字キー、４０Ｃ…クリアキー、４０Ｅ…エンターキー、４０Ｓ…余白キー、６…扉、９…ユーザ、Ｃ１２…無線通信、Ｃ３０…通信、ＰＷin，ＰＷｍ…暗証番号、Ｓｉ…指示信号。
【図１】
2016188501.tif 000003
【図２】
2016188501.tif 000004
【図３】
2016188501.tif 000005
【図４】
2016188501.tif 000006
【図５】
2016188501.tif 000007
【図６】
2016188501.tif 000008
【図７】
2016188501.tif 000009
【図８】
2016188501.tif 000010
【図９】
2016188501.tif 000011
【図１０】
2016188501.tif 000012
【図１１】
2016188501.tif 000013
【図１２】
2016188501.tif 000014
【図１３】
2016188501.tif 000015
【図１４】
2016188501.tif 000016
【図１５】
2016188501.tif 000017